(57)【要約】  エレベータのロープ端末装置は、エレベータ用ロープのロープ端末に結合される。エレベータ用ロープは、コアロープと、コアロープの外周部に配置された複数本の外層ストランドとを有している。ロープ端末装置は、ソケットと、コアロープの端部に固定されソケット内に配置されるスリーブとを有している。ソケットには、断面テーパ状のソケットテーパ孔が設けられている。スリーブには、ソケットテーパ孔の内壁面との間に外層ストランドの端部を挟持する断面テーパ状のスリーブ外周面が設けられている。
2008105047.tif 000002
【特許請求の範囲】
【請求項１】
複数本のコアロープストランドを含むコアロープと、上記コアロープの外周部に配置された複数本の外層ストランドとを有するエレベータ用ロープのロープ端末に結合されるエレベータのロープ端末装置であって、
断面テーパ状のソケットテーパ孔を有するソケット、及び
上記ソケットテーパ孔の内壁面との間に上記外層ストランドの端部を挟持する断面テーパ状のスリーブ外周面と、上記コアロープの端部が挿入されるコアロープ挿入孔とを有し、上記コアロープの端部に固定され上記ソケットテーパ孔内に配置されるスリーブ
を備えているエレベータのロープ端末装置。
【請求項２】
上記コアロープ挿入孔は、断面テーパ状のスリーブテーパ孔である請求項１記載のエレベータのロープ端末装置。
【請求項３】
上記ソケットテーパ孔内に設けられ、上記外層ストランド及び上記ソケットよりも柔らかい材料からなる充填層をさらに備えている請求項１記載のエレベータのロープ端末装置。
【請求項４】
上記スリーブ外周面には、上記外層ストランドを受ける複数の溝が設けられている請求項１記載のエレベータのロープ端末装置。
【請求項５】
上記溝は、上記スリーブ外周面に螺旋状に設けられている請求項４記載のエレベータのロープ端末装置。
【請求項６】
複数本のコアロープストランドを含むコアロープと、上記コアロープの外周部に配置された複数本の外層ストランドとを有するエレベータ用ロープ、及び
上記エレベータ用ロープのロープ端末に結合されたロープ端末装置
を備えているエレベータのロープ装置であって、
上記ロープ端末装置は、
断面テーパ状のソケットテーパ孔を有するソケット、及び
断面テーパ状のスリーブ外周面と、上記コアロープの端部が挿入されたコアロープ挿入孔とを有し、上記ソケットテーパ孔内に配置されたスリーブ
を備え、
上記外層ストランドの端部は、上記ソケットテーパ孔の内壁面と上記スリーブ外周面との間に挟持されており、
上記スリーブは、上記コアロープの端部に固定されているエレベータのロープ装置。
【請求項７】
上記コアロープ挿入孔は、断面テーパ状のスリーブテーパ孔であり、
上記スリーブテーパ孔内には、上記コアロープストランドの端部がそれぞれ折り返されて収容されているとともに、融着用金属が融着されている請求項６記載のエレベータのロープ装置。
【請求項８】
上記スリーブは、上記コアロープの端部に圧着されている請求項６記載のエレベータのロープ装置。
【請求項９】
上記ソケットテーパ孔の内壁面及び上記スリーブ外周面の少なくともいずれか一方が、上記外層ストランドにより圧縮変形されている請求項６記載のエレベータのロープ装置。
【請求項１０】
上記スリーブは、上記外層ストランドよりも柔らかい材料により構成されている請求項６記載のエレベータのロープ装置。
【請求項１１】
上記外層ストランドは、互いに等間隔をおいて配置されている請求項６記載のエレベータのロープ装置。
【発明の詳細な説明】
【技術分野】
【０００１】
この発明は、エレベータ用ロープのロープ端末に結合されるエレベータのロープ端末装置、及びエレベータ用ロープにロープ端末装置を結合してなるエレベータのロープ装置に関するものである。
【背景技術】
【０００２】
従来の多くのエレベータでは、８本又は６本のストランドを含むエレベータ用ロープが使用されていた。また、エレベータ用ロープ、及びエレベータ用ロープが巻き掛けられる綱車の早期摩耗や断線を防止するため、綱車の直径がエレベータ用ロープの直径の４０倍以上に設定されていた。【０００３】
これに対して、近年、エレベータ用ロープの強度及び曲げ疲労性の向上により、ロープ本数の削減や綱車の小径化が望まれている。このため、ストランドの本数を増やすことにより、ストランドを構成する素線の径を小さくし、また、断面構造を多層化することにより、実装面積を大きくしたエレベータ用ロープが提案されている。【０００４】
一方、従来のエレベータのロープ端末装置では、バビットメタル詰め方式又はスリーブ圧着方式によりロープ端末にソケットが固定される。バビットメタル詰め方式では、全てのストランドの端部を折り返して１つに束ね、ソケット内のテーパ穴に挿入した後、溶融したバビットメタルをテーパ穴内に流し込み硬化させる。また、スリーブ圧着方式では、外周部にテーパ状部が形成されたスリーブをロープ端末に圧着した後、ソケットのテーパ穴にスリーブのテーパ状部を嵌合させる（例えば、特許文献１参照）。【０００５】
【特許文献１】特開２００２−２１１８５７号公報
【発明の開示】
【発明が解決しようとする課題】
【０００６】
上記のような従来のバビットメタル詰め方式のロープ端末装置では、ストランドの本数が多い場合に、ストランドの端部を折り曲げる作業にかなりの手間がかかるとともに、折り曲げられた全てのストランドの端部を挿入するためにソケットが大型化してしまう。また、従来のスリーブ圧着方式のロープ端末装置では、ロープ径が大きい場合に、大型の圧着装置が必要となり、圧着装置のコストが高くなるとともに、ロープ架設現場に大きな作業スペースを確保する必要が生じてしまう。【０００７】
この発明は、上記のような課題を解決するためになされたものであり、ソケットの大型化を防止するとともに、ロープ端末にソケットを容易に結合することができるエレベータのロープ端末装置及びロープ装置を得ることを目的とする。
【課題を解決するための手段】
【０００８】
この発明によるエレベータのロープ端末装置は、複数本のコアロープストランドを含むコアロープと、コアロープの外周部に配置された複数本の外層ストランドとを有するエレベータ用ロープのロープ端末に固定されるものであって、断面テーパ状のソケットテーパ孔を有するソケット、及びソケットテーパ孔の内壁面との間に外層ストランドの端部を挟持する断面テーパ状のスリーブ外周面と、コアロープの端部が挿入されるコアロープ挿入孔とを有し、コアロープの端部に固定されソケットテーパ孔内に配置されるスリーブ
を備えている。
この発明によるエレベータのロープ装置は、複数本のコアロープストランドを含むコアロープと、コアロープの外周部に配置された複数本の外層ストランドとを有するエレベータ用ロープ、及びエレベータ用ロープのロープ端末に固定されたロープ端末装置を備えたものであって、ロープ端末装置は、断面テーパ状のソケットテーパ孔を有するソケット、及び断面テーパ状のスリーブ外周面と、コアロープの端部が挿入されたコアロープ挿入孔とを有し、ソケットテーパ孔内に配置されたスリーブを備え、外層ストランドの端部は、ソケットテーパ孔の内壁面とスリーブ外周面との間に挟持されており、スリーブは、コアロープの端部に固定されている。
【図面の簡単な説明】
【０００９】
【図１】この発明の実施の形態１によるエレベータの要部を示す側面図である。
【図２】図１のエレベータ用ロープの断面図である。
【図３】図１の結合部を示す側面図である。
【図４】図３の矢印ＩＶ方向から見た結合部を示す正面図である。
【図５】図３のエレベータ用ロープに結合部を結合する途中の状態を示す側面図である。
【図６】この発明の実施の形態２によるエレベータのロープ装置の結合部を示す側面図である。
【図７】図６の矢印ＶＩＩ方向から見た結合部を示す正面図である。
【図８】図６のエレベータ用ロープに結合部を結合する途中の状態を示す側面図である。
【図９】この発明の実施の形態３によるエレベータのロープ装置の結合部を示す側面図である。
【図１０】図９の矢印Ｘ方向から見た結合部を示す正面図である。
【図１１】この発明の実施の形態４によるエレベータのロープ装置の結合部を示す正面図である。
【発明を実施するための最良の形態】
【００１０】
以下、この発明の好適な実施の形態について図面を参照して説明する。
実施の形態１．
図１はこの発明の実施の形態１によるエレベータの要部を示す側面図である。図において、ロープ接続部１は、例えばかご、釣合おもり又は昇降路上部等に設けられている（但し、昇降路上部の場合は、図１は上下逆向きである）。ロープ接続部１には、かご及び釣合おもりを昇降路内に吊り下げるエレベータ用ロープ２が、ロープ端末装置３を介して接続されている。ロープ装置は、エレベータ用ロープ２のロープ端末にロープ端末装置３を結合することにより構成されている。【００１１】
ロープ端末装置３は、結合部４、連結ピン５、ロッド部６、ばね座７、主ナット８、止めナット９及び圧縮コイルばね１０を有している。結合部４は、エレベータ用ロープ２のロープ端末に結合されている。ロッド部６は、連結ピン５を介して結合部４に回動可能に連結されている。また、ロッド部６は、ロープ接続部１を貫通している。【００１２】
ロッド部６の反結合部４側の端部には、ねじ部６ａが設けられている。ばね座７は、ねじ部６ａにより貫通されている。主ナット８及び止めナット９は、ねじ部６ａに螺着され、ロープ接続部１から離れる方向へのばね座７の変位を規制する。圧縮コイルばね１０は、ロープ接続部１とばね座７との間に配置されている。【００１３】
図２は図１のエレベータ用ロープ２の断面図である。エレベータ用ロープ２は、コアロープ１１と、コアロープ１１の外周部に配置された複数本（図２では１２本）の外層ストランド１２とを有している。外層ストランド１２は、コアロープ１１の外周部に撚り合わせられている。【００１４】
コアロープ１１は、その中心に配置されたコアロープストランドである中心ストランド１３と、中心ストランド１３の外周部に撚り合わせられたコアロープストランドである複数本（図２では６本）の内層ストランド１４とを有している。ストランド１２，１３，１４は、それぞれ複数本の鋼製の素線を撚り合わせることにより構成されている。【００１５】
図３は図１の結合部４を示す側面図、図４は図３の矢印ＩＶ方向から見た結合部４を示す正面図である。結合部４は、円筒状のソケット１５と、ソケット１５内に配置されたスリーブ１６とを有している。ソケット１５は、断面テーパ状のソケットテーパ孔１５ａを有している。ソケットテーパ孔１５ａの径は、ソケット１５の一端部へ向けて連続して減少されている。【００１６】
スリーブ１６は、断面テーパ状のスリーブ外周面１６ａと、コアロープ１１の端部が挿入されたコアロープ挿入孔としての断面テーパ状のスリーブテーパ孔１６ｂとを有している。また、スリーブ１６は、ソケットテーパ孔１５ａ内に配置されている。【００１７】
外層ストランド１２の端部は、コアロープ１１の外周部から解きほぐされ、ソケットテーパ孔１５ａの内壁面とスリーブ外周面１６ａとの間に挟持されている。中心ストランド１３及び内層ストランド１４の端部は、解きほぐされ折り返されてスリーブテーパ孔１６ｂ内に収容されている。また、スリーブテーパ孔１６ｂ内には、融着用金属としてのバビットメタル１７が融着されている。これにより、スリーブ１６は、コアロープ１１の端部に固定されている。【００１８】
コアロープ１１のスリーブ１６からの引出部には、コアロープ１１の外周部を締め付けるコアロープ締付具１８が設けられている。また、エレベータ用ロープ２のソケット１５からの引出部には、エレベータ用ロープ２の外周部を締め付けるエレベータ用ロープ締付具１９が設けられている。【００１９】
次に、エレベータ用ロープ２のロープ端末への結合部４の結合方法について説明する。まず、エレベータ用ロープ２のロープ端末をソケット１５に挿通させる。次に、外層ストランド１２の端部を所定の長さだけ解きほぐし真っ直ぐに伸ばす。【００２０】
この後、露出したコアロープ１１の端部をスリーブ１６に挿通させる。次に、中心ストランド１３及び内層ストランド１４の端部を所定の長さだけ解きほぐす。そして、中心ストランド１３及び内層ストランド１４の端部を折り返しつつスリーブテーパ孔１６ｂ内に収容する。この後、スリーブテーパ孔１６ｂ内に溶融したバビットメタルを流し込み硬化させる。これにより、コアロープ１１の端部は、スリーブ１６に固定される。図５はこのときの状態を示している。【００２１】
図５の状態から、解きほぐされた外層ストランド１２をスリーブ１６の外周に均等に配置し、エレベータ用ロープ２のロープ端末をソケット１５内に引き込む。これにより、外層ストランド１２の端部は、ソケットテーパ孔１５ａとスリーブ１６との楔効果によって、ソケット１５に強固に固定される。【００２２】
ここで、外層ストランド１２の固定をより確実にするためには、ソケットテーパ孔１５ａの内壁面及びスリーブ外周面１６ａの少なくともいずれか一方が、外層ストランド１２により圧縮変形され、変形により生じた凹部に外層ストランド１２が食い込んでいることが望ましい。このため、例えば、スリーブ１６は、外層ストランド１２を構成する素線の材料に比べて十分に硬度が小さい材料（外層ストランド１２よりも柔らかい材料）、例えば軟鋼（ＳＳ４００等）により構成するのが好適である。【００２３】
このようなエレベータのロープ端末装置及びロープ装置では、バビットメタル詰め方式で固定されるコアロープ１１の径はエレベータ用ロープ２全体の径よりも小さく、かつコアロープ１１のストランド数はエレベータ用ロープ２全体のストランド数よりも少ないため、コンパクトなスリーブ１６を用いて、多大な作業時間を要することなく、コアロープ１１をスリーブ１６に固定することができる。また、外層ストランド１２は折り曲げる必要がなく、楔効果でソケット１５内に固定されるので、ソケット１５の大型化を防止することもできる。【００２４】
実施の形態２．
次に、図６はこの発明の実施の形態２によるエレベータのロープ装置の結合部を示す側面図、図７は図６の矢印ＶＩＩ方向から見た結合部を示す正面図、図８は図６のエレベータ用ロープに結合部を結合する途中の状態を示す側面図である。図において、実施の形態２における結合部４は、実施の形態１と同様のソケット１５と、ソケット１５内に配置されたスリーブ２１とを有している。【００２５】
スリーブ２１は、断面テーパ状のスリーブ外周面２１ａと、コアロープ１１の端部が挿入されたコアロープ挿入孔２１ｂとを有している。コアロープ挿入孔２１ｂの径は、全長に渡って均等である。スリーブ２１は、ソケットテーパ孔１５ａ内に配置されている。【００２６】
外層ストランド１２の端部は、コアロープ１１の外周部から解きほぐされ、ソケットテーパ孔１５ａの内壁面とスリーブ外周面２１ａとの間に挟持されている。コアロープ１１の端部は、解きほぐされずに撚線のままコアロープ挿入孔２１ｂ内に収容されている。そして、スリーブ２１は、コアロープ１１の端部に圧着されている。他の構成は、実施の形態１と同様である。【００２７】
このようなエレベータのロープ端末装置及びロープ装置では、コアロープ１１にスリーブ２１を圧着するので、多大な作業時間を要することなく、コアロープ１１をスリーブ２１に容易に固定することができる。また、コアロープ１１の径はエレベータ用ロープ２全体の径よりも小さいため、コンパクトなスリーブ２１を用いることができるとともに、小型の圧着装置で対応することができる。また、外層ストランド１２は折り曲げる必要がなく、楔効果でソケット１５内に固定されるので、ソケット１５の大型化を防止することもできる。【００２８】
実施の形態３．
次に、図９はこの発明の実施の形態３によるエレベータのロープ装置の結合部を示す側面図、図１０は図９の矢印Ｘ方向から見た結合部を示す正面図である。図において、ソケットテーパ孔１５ａ内には、外層ストランド１２及びソケット１５よりも柔らかい材料からなる充填層２２が設けられている。充填層２２は、ソケットテーパ孔１５ａの内壁面を覆うように配置され、一様の厚さを有している。外層ストランド１２は、充填層２２とスリーブ外周面１６ａとの間に挟持されている。他の構成は、実施の形態１と同様である。【００２９】
このようなエレベータのロープ端末装置及びロープ装置では、ソケットテーパ孔１５ａ内に充填層２２を設けたので、結合部４における外層ストランド１２及びコアロープ１１の荷重負担がさらに均等になり、高い締結強度を得ることができる。【００３０】
なお、充填層２２は、例えば軟鋼又は亜鉛合金等の材料で構成することができる。
また、予め円錐状に成形された充填層２２をソケットテーパ孔１５ａ内に挿入しても、溶融した材料をソケットテーパ孔１５ａ内に流して込み硬化させることにより充填層２２を形成してもよい。
さらに、実施の形態３で示した充填層２２を、実施の形態２のソケットテーパ孔１５ａ内に配置してもよい。【００３１】
実施の形態４．
次に、図１１はこの発明の実施の形態４によるエレベータのロープ装置の結合部を示す正面図である。図において、スリーブ外周面１６ａには、外層ストランド１２を受ける螺旋状の複数（外層ストランド１２と同数）の溝１６ｃが設けられている。溝１６ｃは、スリーブ１６の周方向に互いに等間隔をおいて配置されている。各溝１６ｃの底面の断面形状は、外層ストランド１２の外周面よりも曲率半径の大きな円弧状である。他の構成は、実施の形態１と同様である。【００３２】
このようなエレベータのロープ端末装置及びロープ装置では、スリーブ外周面１６ａに溝１６ｃが均等に設けられているので、外層ストランド１２を容易に均等配置することができ、各外層ストランド１２に荷重を均等に負担させることができる。【００３３】
なお、溝１６ｃは、スリーブ１６の軸線に平行な直線状であってもよい。
また、ソケットテーパ孔１５ａの内周面に外層ストランド１２を受ける溝を設けてもよい。
さらに、実施の形態４のソケットテーパ孔１５ａ内に実施の形態３で示した充填層２２を配置してもよい。
さらにまた、エレベータ用ロープの断面構造は、図２で示した構造に限定されるものではなく、ロープ端末がコアロープと外層ストランドとに分割可能であれば他の構造であってもよい。例えば、３層以上の構造や、外層ストランド及び内層ストランドよりも小径の補助ストランドを含む構造等であってもよい。
【図１】
2008105047.tif 000003
【図２】
2008105047.tif 000004
【図３】
2008105047.tif 000005
【図４】
2008105047.tif 000006
【図５】
2008105047.tif 000007
【図６】
2008105047.tif 000008
【図７】
2008105047.tif 000009
【図８】
2008105047.tif 000010
【図９】
2008105047.tif 000011
【図１０】
2008105047.tif 000012
【図１１】
2008105047.tif 000013
【国際調査報告】
2008105047.tif 000014
2008105047.tif 000015